(57)【要約】【課題】  遊技盤の広さが拡大されるようにすることである。【解決手段】  パチンコ機１００の外枠１４に、その一端部を支点として回動自在で、かつ外枠１４に収容可能に配置される内枠１２０の自由端側の部分にクランク状に形成される内枠本体部１９の施錠装置取付部２１に対して、シリンダ錠３１が固定された施錠用ベースプレート２４のシリンダ錠取付部３２を前方から重なり合うようにして固定し、かつ内枠１２０を外枠１４に閉じた状態において、施錠用ベースプレート２４のシリンダ錠取付部３２が、外枠１４の直前方に配置されるようにする。【選択図】  図２
2008086700.tif 000002
【特許請求の範囲】
【請求項１】
枠状に形成されて固定配置された外枠と、その外枠の一側縁に沿う軸線周りでそれぞれ回動することにより、前記外枠に収納可能な内枠と、該内枠の前方に配置される前面枠とを備え、前記内枠によって前記外枠を閉鎖状態に保持すると共に、前記前面枠によって前記内枠を閉鎖状態に保持するために、前記内枠の自由端側において前記外枠及び前記前面枠に係合してロックするための施錠装置の取付構造であって、
前記外枠の前端面に沿って遊技盤と平行状に配置され、前記施錠装置が取り付けられる施錠装置取付部と、その施錠装置取付部の内側端部から前記外枠の内周縁に沿って後方側に延出すると共に前記遊技盤を保持する遊技盤支持部と、前記施錠装置取付部の外側端部から前記外枠の外周縁の延長方向に沿って前方側に延出して前記前面枠の自由端側後端縁に近接配置される前方延設部とを有し、前記外枠に沿ってクランク状に屈曲形成される内枠本体部と、
その内枠本体部の遊技盤支持部に沿って前後方向に配置されると共に、前記外枠及び前面枠と係合するフック部をそれぞれ含むスライド部材を保持するスライド部材支持部と、
そのスライド部材支持部の前端部に連続して形成され、かつ前記内枠本体部の施錠装置取付部よりも前方側であってその施錠装置取付部と平行状に配置されると共に、前記スライド部材をロック及びロック解除するためのシリンダ錠が固定配置されたシリンダ錠取付部とを有し、前記内枠本体部に沿って屈曲形成され、該内枠本体部の前方に配置される施錠用ベースプレートとを備え、
前記施錠用ベースプレートのシリンダ錠取付部が前記内枠本体部の施錠装置取付部に対して前方側から重なり合うようにして固定され、前記閉鎖状態において前記シリンダ錠取付部が前記外枠の直前方に位置することを特徴とする施錠装置の取付構造。
【請求項２】
前記施錠用ベースプレートは、前記シリンダ錠取付部の外側端部で前方に屈曲して前記内枠本体部の前方延設部の内面に沿って突出する前方突出部を有することを特徴とする請求項１に記載の施錠装置の取付構造。
【請求項３】
前記施錠用ベースプレートの前方突出部の先端縁が前記内枠本体部の前方延設部の前端縁よりも前方に位置し、
前記閉鎖状態において、前記前方突出部は前記前方延設部と前記前面枠の自由端側後端縁との対向部を当該前方延設部の内面側から覆っていることを特徴とする請求項２に記載の施錠装置の取付構造。
【請求項４】
前記内枠本体部の施錠装置取付部には、前記施錠用ベースプレートのスライド部材支持部を差し込んで、施錠装置取付部よりも後方側に配置させる開口と、該開口の自由端側の側部から後方側に、前記内枠本体部の遊技盤支持部と平行状にして延設される異物侵入阻止部とが設けられていて、
前記開口に差し込まれた施錠用ベースプレートのスライド部材支持部は、前記内枠本体部の遊技盤支持部と前記異物侵入阻止部とで挟み込まれて配置されることを特徴とする請求項１ないし３のいずれか１項に記載の施錠装置の取付構造。
【発明の詳細な説明】
【技術分野】
【０００１】
本発明は、枠状に形成されて固定配置された外枠と、その外枠の一側縁に沿う軸線周りでそれぞれ回動することにより、前記外枠に収納可能な内枠と、該内枠の前方に配置される前面枠とを備え、前記内枠によって前記外枠を閉鎖状態に保持すると共に、前記前面枠によって前記内枠を閉鎖状態に保持するために、前記内枠の自由端側において前記外枠及び前記前面枠に係合してロックするための施錠装置の取付構造に関するものである。
【背景技術】
【０００２】
本発明の取付構造は、主に遊技機に使用される。遊技機（例えば、パチンコ機）においては、釘の調整や各入賞装置の調整・交換等を行うため、前面枠及び内枠を開閉させる必要がある。また、閉じた前面枠と内枠とを回動不能にロックする施錠装置が取り付けられる。この施錠装置については、各種の技術が開示されている（特許文献１，２を参照）。
【０００３】
通常の遊技機では、図５に示されるように、外枠５１の前方（図面視における下側）の遊技者側に、遊技盤５２を支持するための内枠５３と、ガラス板５４を支持するガラス枠５５が嵌め込まれた前面枠５６とが取り付けられている。内枠５３と前面枠５６は、それらの幅方向の一端部を支点として外枠５１に対して回動自在である。そして、内枠５３に施錠装置１１０’が取り付けられている。この施錠装置１１０’は、施錠用ベースプレート５７に取り付けられたシリンダ錠５８の錠軸に取り付けられた開錠片５９をいずれかの方向に回動させることにより、対応するスライド部材６０，６１を昇降させ、それらのフック部６０ａ，６１ａと鍵受け部６２，６３との係合を解除させて、外枠５１と内枠５３とのロック、或いは内枠５３と前面枠５６とのロックを解除させる形態である。
【０００４】
従来の施錠装置１１０’では、施錠用ベースプレート５７が、内枠５３よりも後方に配置されている。このため、内枠５３の自由端側で、遊技盤５２と外枠５１との間に、シリンダ錠５８の開錠片５９及び施錠用ベースプレート５７のスライド部材支持部６４を配置させるための大きなスペースが必要としている。
【０００５】
また、外枠５１と開錠片５９との干渉を避けるために外枠５１を切り欠くと、外枠５１の剛性を低下させてしまう。
【０００６】
一方、近時の遊技機（例えば、パチンコ機）では、液晶表示画面の大きさが年々拡大されている。また、遊技盤に新たな入賞装置が取り付けられる場合がある。すると、パチンコ機の本来の遊技領域である球の転動領域やその周辺領域が狭くなり、遊技者の興趣を低下させるおそれがある。これを防止するために、遊技盤全体の広さ（特に横幅）を拡大する対策をとる必要がある。
【特許文献１】特開２００４−１５４３１６号公報
【特許文献２】特開２００６−１８７４２８号公報
【発明の開示】
【発明が解決しようとする課題】
【０００７】
本発明は、上記した事情に鑑み、遊技盤の広さを拡大して、遊技者の興趣が高められるようにすることを課題としている。
【課題を解決するための手段及び効果】
【０００８】
上記課題を解決するための本発明は、枠状に形成されて固定配置された外枠と、その外枠の一側縁に沿う軸線周りでそれぞれ回動することにより、前記外枠に収納可能な内枠と、該内枠の前方に配置される前面枠とを備え、前記内枠によって前記外枠を閉鎖状態に保持すると共に、前記前面枠によって前記内枠を閉鎖状態に保持するために、前記内枠の自由端側において前記外枠及び前記前面枠に係合してロックするための施錠装置の取付構造であって、前記外枠の前端面に沿って遊技盤と平行状に配置され、前記施錠装置が取り付けられる施錠装置取付部と、その施錠装置取付部の内側端部から前記外枠の内周縁に沿って後方側に延出すると共に前記遊技盤を保持する遊技盤支持部と、前記施錠装置取付部の外側端部から前記外枠の外周縁の延長方向に沿って前方側に延出して前記前面枠の自由端側後端縁に近接配置される前方延設部とを有し、前記外枠に沿ってクランク状に屈曲形成される内枠本体部と、その内枠本体部の遊技盤支持部に沿って前後方向に配置されると共に、前記外枠及び前面枠と係合するフック部をそれぞれ含むスライド部材を保持するスライド部材支持部と、そのスライド部材支持部の前端部に連続して形成され、かつ前記内枠本体部の施錠装置取付部よりも前方側であってその施錠装置取付部と平行状に配置されると共に、前記スライド部材をロック及びロック解除するためのシリンダ錠が固定配置されたシリンダ錠取付部とを有し、前記内枠本体部に沿って屈曲形成され、該内枠本体部の前方に配置される施錠用ベースプレートとを備え、前記施錠用ベースプレートのシリンダ錠取付部が前記内枠本体部の施錠装置取付部に対して前方側から重なり合うようにして固定され、前記閉鎖状態において前記シリンダ錠取付部が前記外枠の直前方に位置することを特徴としている。
【０００９】
請求項１の発明では、内枠の自由端側にクランク状に形成された内枠本体部における施錠装置取付部に対して、施錠装置の施錠用ベースプレートのシリンダ錠取付部が、前方側から重なり合うようにして固定されている。このため、シリンダ錠を外枠の直前方に位置させることができ、それに伴い、施錠用ベースプレートのスライド部材支持部を、外枠の内周縁に接近させて配置させることができる。これにより、内枠の遊技盤支持部を幅方向の自由端側に寄せることができるため、遊技盤の遊技領域及び前面枠を幅方向に広げて拡大することができ、遊技者の興趣が高められる。
【００１０】
請求項２の発明は、請求項１の発明を前提として、前記施錠用ベースプレートは、前記シリンダ錠取付部の外側端部で前方に屈曲して前記内枠本体部の前方延設部の内面に沿って突出する前方突出部を有することを特徴としている。
【００１１】
請求項２の発明では、施錠用ベースプレートに前方突出部が設けられていて、前面枠施錠用ベースプレートは断面クランク形状となっている。このため、施錠用ベースプレートの剛性が高くなる。
【００１２】
請求項３の発明は、請求項２の発明を前提として、前記施錠用ベースプレートの前方突出部の先端縁が前記内枠本体部の前方延設部の前端縁よりも前方に位置し、前記閉鎖状態において、前記前方突出部は前記前方延設部と前記前面枠の自由端側後端縁との対向部を当該前方延設部の内面側から覆っていることを特徴としている。
【００１３】
請求項３の発明では、内枠に対して前面枠が閉じられたとき、前面枠の自由端側後端縁は、施錠用ベースプレートの前方突出部と重なって配置される。これにより、前面枠の自由端側後端縁と内枠本体部の前方延設部との隙間から不正に異物が挿入されても、その異物は、施錠用ベースプレート２４の前方突出部３３に突き当たってそれ以上侵入することが阻止され、不正行為が防止される。
【００１４】
請求項４の発明は、請求項１ないし３のいずれかの発明を前提として、前記内枠本体部の施錠装置取付部には、前記施錠用ベースプレートのスライド部材支持部を差し込んで、施錠装置取付部よりも後方側に配置させる開口と、該開口の自由端側の側部から後方側に、前記内枠本体部の遊技盤支持部と平行状にして延設される異物侵入阻止部とが設けられていて、前記開口に差し込まれた施錠用ベースプレートのスライド部材支持部は、前記内枠本体部の遊技盤支持部と前記異物侵入阻止部とで挟み込まれて配置されることを特徴としている。
【００１５】
請求項４の発明では、外枠に対して内枠が閉じられたとき、施錠用ベースプレートのスライド部材支持部は、内枠本体部の遊技盤支持部と異物侵入阻止部との間に配置される。これにより、外枠の前端面と施錠用ベースプレートの施錠装置取付部との隙間から不正に異物が挿入されても、その異物は、異物侵入阻止部に突き当たってそれ以上侵入することが阻止され、不正行為が防止される。
【発明を実施するための最良の形態】
【００１６】
本発明の実施例を説明する。図１はパチンコ機１００の正面図、図２は内枠１２０の自由端側の部分の平面断面図、図３は内枠１２０と施錠用ベースプレート２４とを分離させた状態の斜視図である。本明細書では、遊技機の一例であるパチンコ機１００における施錠装置１１０の取付構造について説明する。
【実施例１】
【００１７】
最初に、遊技機（パチンコ機１００）の全体について説明する。図１に示されるように、パチンコ機１００の遊技盤１の前面には、ほぼ左半周が内外２本の発射レール２によって区画され、全体としてほぼ円形の遊技領域３が形成されている。この遊技領域３のほぼ中央部には、遊技中に行われる第一の当否抽選（特別図柄抽選）の結果等を演出表示及び確定表示するための液晶表示部４が設置されている。また、液晶表示部４の下方には、狭く開口し入賞困難な第一状態（閉鎖状態）と広く開口し入賞容易な第二状態（図示しない開放状態）とに開口態様が変化し、入賞に基づき賞球払出しが行われると共に、第一の当否抽選を開始させるスタートチャッカー５が配置されている。更に、スタートチャッカー５の下方には、第一の当否抽選の結果が大当たりのときに開閉扉を開放して多くの遊技球を入賞し易くするアタッカー６（大入賞口）等が配置されている。そして、液晶表示部４の左右には、遊技球のゲート通過により第二の当否抽選（普通図柄抽選）を開始させるスルーゲート７，８がそれぞれ配置されている。一方、遊技領域３の下側周縁部には、アタッカー６を挟む形態で、左右一対のサイドランプ９，１１と下部チャッカー１２，１３とが配置されている。左右の下部チャッカー１２，１３は、それぞれ入賞口を複数（例えば２個）有する多連チャッカーとなっている。
【００１８】
図１ないし図３に示されるように、パチンコ機１００の外枠１４の前方（遊技者側）に、遊技盤１と施錠装置１１０を支持するための方形枠状の内枠１２０と、ガラス板１５を支持するガラス枠１６が嵌め込まれた前面枠１７とが取り付けられている。内枠１２０と前面枠１７は、それらの幅方向の一端部に設けられた蝶番１８（図１参照）を支点として外枠１４に対して回動自在である。
【００１９】
内枠１２０について説明する。本発明における内枠１２０の特徴部分は、内枠１２０における自由端側の部分（図１の図面視における右側の端部）であるため、当該自由端側の部分を「内枠本体部１９」と記載し、主に内枠本体部１９について説明する。図２及び図３に示されるように、内枠本体部１９は、施錠装置１１０を支持するために、遊技盤１と平行に設けられた施錠装置取付部２１と、施錠装置取付部２１の外側の周縁部が前方に向かってほぼ直角に屈曲されて形成された前方延設部２２と、施錠装置取付部２１の内側の周縁部が後方に向かってほぼ直角に屈曲されて形成された遊技盤支持部２３とを備えていて、断面クランク形状である。本実施例の施錠装置取付部２１には、後述する施錠用ベースプレート２４を差し込むための開口２５と、この開口２５の正面視における右側の周縁部から後方に向かって、遊技盤支持部２３とほぼ平行に延設される異物侵入阻止部２６とが形成されている。また、内枠本体部１９における施錠装置取付部２１の正面側には、高さ方向（上下方向）に所定間隔をおいて複数個（本実施例の場合、５個）のボス２７が突設されている。施錠用ベースプレート２４は、各固定ねじ２８が対応するボス２７に螺合して締め込まれることにより、内枠本体部１９に固定される。なお、図２において、２９は、遊技盤支持部２３と異物侵入阻止部２６とを連結する補強リブである。
【００２０】
施錠用ベースプレート２４について説明する。図２及び図３に示されるように、本実施例の施錠用ベースプレート２４は断面クランク形状であり、シリンダ錠３１を支持するシリンダ錠取付部３２の外側の周縁部が前方に向かってほぼ直角に屈曲されて前方突出部３３が形成されていると共に、シリンダ錠取付部３２の内側の周縁部が後方に向かってほぼ直角に屈曲されていて、第１及び第２の各スライド部材３４，３５（後述）を昇降可能に支持するスライド部材支持部３６が形成されている。前方突出部３３は、内枠本体部１９の前方延設部２２の内面に近接配置されていると共に、前面枠１７が閉じられたとき、その先端縁３３ａが、前面枠１７の自由端側後端縁１７ａに重なる長さを有している。そして、施錠用ベースプレート２４のスライド部材支持部３６は、内枠本体部１９の施錠装置取付部２１に設けられた開口２５に差し込まれ、その大部分が内枠本体部１９の施錠装置取付部２１よりも後方で、かつ内枠本体部１９の遊技盤支持部２３と異物侵入阻止部２６との間に配置される。
【００２１】
ここで、第１のスライド部材３４は、内枠本体部１９に対して前面枠１７を相対的に回動不能にロックするためのものであり、第２のスライド部材３５は、外枠１４に対して内枠本体部１９を相対的に回動不能にロックするためのものである。第１及び第２の各スライド部材３４，３５は、それらの取付け位置と取付け方向が異なっているだけでほとんど同一の機能を有するため、ここでは、第１のスライド部材３４についてのみ説明する。図３に示されるように、スライド部材３４の上端部と下端部には、鉤状のフック部３４ａが前方に向かって突出されている。また、スライド部材３４の上下端部には、その長手方向に沿って各長孔３４ｂが設けられていて、各長孔３４ｂに、スライド部材支持部３６に突設された各ガイドピン３７が挿通されている。スライド部材３４は、各ガイドピン３７にガイドされて昇降可能である。
【００２２】
そして、前面枠１７の背面部には、第１のスライド部材３４の各フック部３４ａが係合される鍵受け部３８が設けられている。前面枠１７が閉じられたとき、第１のスライド部材３４のフック部３４ａは、前面枠１７の鍵受け部３８に係合され、更に図示しない引張りばねの引張り力によってその状態が保持される。これにより、前面枠１７が、内枠１２０にロックされる。また、外枠１４の内周縁１４ａには、第２のスライド部材３５のフック部３５ａが係合される鍵受け部３９が設けられている。上記と同様に、内枠本体部１９が閉じられたとき、第２のスライド部材３５のフック部３５ａは、外枠１４の鍵受け部３９に係合され、更に図示しない引張りばねの引張り力によってその状態が保持される。これにより、内枠１２０が、外枠１４にロックされる。
【００２３】
図２及び図３に示されるように、施錠用ベースプレート２４のシリンダ錠取付部３２には、シリンダ錠取付部３２の取付面に対して、前方に直角にシリンダ錠３１が取り付けられている。このシリンダ錠３１の錠軸３１ａに取り付けられた開錠片４１は、第１及び第２の各スライド部材３４，３５と係合されている。シリンダ錠３１の錠軸３１ａを左右方向のいずれかに回動させることにより、対応するスライド部材３４，３５を昇降させることができる。これにより、各スライド部材３４，３５のフック部３４ａ，３５ａと対応する鍵受け部３８，３９との係合状態が解除され、内枠１２０又は前面枠１７を開かせることができる。なお、図２に示されるように、第２のスライド部材３５のフック部３５ａが斜めになっているのは、外枠１４に対して内枠本体部１９を開閉する際に、フック部３５ａと外枠１４の内周縁１４ａとの干渉を防止するためである。
【００２４】
本実施例の施錠装置１１０の作用について説明する。施錠装置１１０は、主に施錠用ベースプレート２４、シリンダ錠３１、スライド部材３４，３５で構成されている。最初に、外枠１４と内枠１２０とのロックを解除する場合の作用について説明する。内枠１２０が閉じられた状態（内枠本体部１９の施錠装置取付部２１の背面部が、外枠１４の前端面１４ｂに近接配置されている状態）で、第２スライド部材３５のフック部３５ａは、外枠１４の鍵受け部３９に引っ掛けられて係合されている。シリンダ錠３１に差し込まれたキー（図示せず）が左右方向のいずれかに回動され、シリンダ錠３１の錠軸３１ａが同方向に回動される。これにより、開錠片４１と係合する第２のスライド部材３５が上昇され、各フック部３５ａと外枠１４の鍵受け部３９との係合状態が解除され、外枠１４と内枠１２０とのロックが解除されて、内枠１２０を開かせることができる。
【００２５】
内枠１２０と前面枠１７とのロックを解除する場合は、上記した外枠１４と内枠１２０とのロックを解除する場合と同様に、シリンダ錠３１に差し込まれたキー（図示せず）を、内枠１２０を開く方向と逆方向に回動させる。これにより、開錠片４１と係合する第１のスライド部材３４が下降され、各フック部３４ａと前面枠１７の鍵受け部３８との係合状態が解除され、内枠１２０と前面枠１７とのロックが解除されて、前面枠１７を開かせることができる。
【００２６】
本実施例の施錠装置１１０では、図２に示されるように、施錠用ベースプレート２４のシリンダ錠取付部３２が、内枠本体部１９の施錠装置取付部２１に対して、前方から重なり合うようにして固定されている。即ち、シリンダ錠３１が固定される施錠用ベースプレート２４が、内枠本体部１９の前方（遊技者側）に取り付けられている。更に、外枠１４に対して内枠１２０が閉じた状態で、シリンダ錠取付部３２が、外枠１４の直前方に位置される。このため、従来の施錠装置１１０’（図５参照）と比較して、内枠１２０の幅方向（左右方向）における施錠用ベースプレート２４の取付け位置を、内枠１２０の自由端側に寄せて配置することができる。換言すれば、施錠用ベースプレート２４の取付け位置を、内枠本体部１９の前方延設部２２に接近させることができる。これにより、内枠１２０の閉鎖状態において、施錠装置１１０の開錠片４１が外枠１４の直前方に配置させることができ、外枠１４の内周縁１４ａと遊技盤１の自由端側の端部との隙間には、施錠用ベースプレート２４のスライド部材支持部３６のみを配置させるだけで済むため、外枠１４の内周縁１４ａと遊技盤１の自由端側の端部との隙間の幅Ｌを、従来の隙間の幅Ｌ’（図５参照）よりも短くすることができる。そして、隙間の幅Ｌが短くなった分だけ、遊技盤１の遊技領域３を幅方向に広げて大きくすることができる。同様に、前面枠１７も幅方向に広げることができる。このとき、外枠１４を切り欠く必要もない。この状態で、施錠用ベースプレート２４のスライド部材支持部３６は、内枠本体部１９の施錠装置取付部２１の開口２５を通って、その大部分が内枠本体部１９の施錠装置取付部２１よりも後方に配置されるため、第２スライド部材３５のフック部３５ａを外枠１４の鍵受け部３９に係合させる機構は、従来の施錠装置１１０’の場合とほとんど同様のものとすることができる。
【００２７】
また、図２に示されるように、内枠１２０に対して前面枠１７が閉じられたとき、前面枠１７の自由端側後端縁１７ａは、施錠用ベースプレート２４の前方突出部３３の先端縁３３ａと重なって配置される。これにより、前面枠１７の自由端側後端縁１７ａと内枠本体部１９の前方延設部２２との隙間から不正に異物が挿入されても、その異物は、施錠用ベースプレート２４の前方突出部３３に突き当たってそれ以上侵入することが阻止され、不正行為が防止される。
【００２８】
また、外枠１４に対して内枠１２０が閉じられたとき、施錠用ベースプレート２４のスライド部材支持部３６は、内枠本体部１９の遊技盤支持部２３と異物侵入阻止部２６との間に配置される。これにより、外枠１４の前端面１４ｂと施錠用ベースプレート２４の施錠装置取付部２１との隙間から不正に異物が挿入されても、その異物は、異物侵入阻止部２６に突き当たってそれ以上侵入することが阻止され、不正行為が防止される。
【図面の簡単な説明】
【００２９】
【図１】パチンコ機１００の正面図である。
【図２】内枠１２０の自由端側の部分の平面断面図である。
【図３】内枠１２０と施錠用ベースプレート２４とを分離させた状態の斜視図である。
【図４】内枠１２０と前面枠１７とを開いた状態の平面断面図である。
【図５】従来の施錠装置１１０’の平面断面図である。
【符号の説明】
【００３０】
１１０：施錠装置
１２０：内枠
１：遊技盤
１４：外枠
１４ａ：内周縁
１７：前面枠
１９：内枠本体部
２１：施錠装置取付部
２２：前方延設部
２２ａ：前端縁
２３：遊技盤支持部
２４：施錠用ベースプレート
２５：開口
２６：異物侵入阻止部
３１：シリンダ錠
３２：シリンダ錠取付部
３３：前方突出部
３３ａ：先端縁
３４，３５：スライド部材
３４ａ，３５ａ：フック部
３６：スライド部材保持部
【図１】
2008086700.tif 000003
【図２】
2008086700.tif 000004
【図３】
2008086700.tif 000005
【図４】
2008086700.tif 000006
【図５】
2008086700.tif 000007